(57)【特許請求の範囲】
【請求項１】
刈払機に装着された回転シャフトの先端に連結される刈払機用刈刃において、円板状の刈刃の盤面に同じ形状の刈刃を重ねて二重構造の刈刃を設け、一方の刈刃を回転シャフトに連結する回転刃とし、他方の刈刃を刈払機の先端に固定する固定刃とし、該固定刃の盤面に沿って回転刃のみが回転するように構成し、
前記固定刃は、前記回転刃の上面に回転自在に連結され、固定刃の上面に固定刃係止具を設け、該固定刃係止具が刈払機の先端部分に係止して回転刃の回転時に固定刃のみが固定されるように構成し、
前記回転刃の上面に前記回転シャフトの先端を覆うヘッドカバーを囲むようにドーナツ形状の固定基板を固定し、該固定基板の周囲に前記固定刃を回転自在に装着したことを特徴とする刈払機用刈刃。
【請求項２】
前記固定刃の上面に該固定刃の強度を高める補強板を固定し、該補強板に前記固定刃係止具を設けた請求項１記載の刈払機用刈刃。
【発明の詳細な説明】
【技術分野】
【０００１】
本発明は、二枚重ねの刈刃によって、芝や雑草、立木や竹などを刈り取るのに好適な刈払機用刈刃に係り、市販の刈払機にも装着することができる刈払機用刈刃に関するものである。
【背景技術】
【０００２】
従来、二枚重ねの刈刃を同時に正逆転させる刈払機として、特許文献１に記載された草刈機や、特許文献２に記載された刈払機が提案されている。
【０００３】
特許文献１に記載の草刈機は、一方の刈刃の駆動軸と他方の刈刃の駆動軸との間にベベルギヤ式逆転駆動機構を介装したものである。
【０００４】
また、特許文献２の刈払機は、当発明者が提案したもので、略三角柱状の切刃にリード片を延長した切刃を使用するもので、駆動源に連結する回転シャフトにベベルギヤを介し、上下に重なった２枚の切刃を正逆方向へ水平回転させるものである。
【先行技術文献】
【特許文献】
【０００５】
【特許文献１】実開平２−１４９２３号公報
【特許文献２】特許第２７９４５０７号公報
【発明の概要】
【発明が解決しようとする課題】
【０００６】
特許文献１及び特許文献２の刈払機は、いずれも回転シャフトにベベルギヤを介し、２枚の刈刃を同時に正逆回転させるものである。そのため、刈払機の構成を駆動軸から改良する必要があり、１枚の刈刃を交換自在に装着する市販の刈払機に、正逆回転する２枚の刈刃を装着することは不可能であった。
【０００７】
また、いずれの刈払機も上下二枚の刈刃を正逆方向へ同時に水平回転させることで、一枚の刈刃よりも切削効果を高めようとするものである。ところが、当発明者の研究によると、上下二枚の刈刃を同時に正逆回転させるよりも、いずれか一方の刈刃を固定し、他方の刈刃のみを回転させることで、より高い切削効果が得られることが実験で明らかになった。
【０００８】
そこで本発明は、従来の課題を解消すべく創出されたもので、従来の二枚重ねの刈刃よりも高い切削効果が得られ、しかも、市販の刈払機にも装着することが可能な刈払機用刈刃の提供を目的とするものである。
【課題を解決するための手段】
【０００９】
上述の目的を達成すべく本発明における第１の手段は、刈払機１に装着された回転シャフトＱの先端に連結される刈払機用刈刃において、円板状の刈刃の盤面に同じ形状の刈刃を重ねて二重構造の刈刃を設け、一方の刈刃を回転シャフトＱに連結する回転刃１０とし、他方の刈刃を刈払機１の先端に固定する固定刃２０とし、該固定刃２０の盤面に沿って回転刃１０のみが回転するように構成し、
前記固定刃２０は、前記回転刃１０の上面に回転自在に連結され、固定刃２０の上面に固定刃係止具２１を設け、該固定刃係止具２１が刈払機１の先端部分に係止して回転刃１０の回転時に固定刃２０のみが固定されるように構成し、
前記回転刃１０の上面に前記回転シャフトＱの先端を覆うヘッドカバーＳを囲むようにドーナツ形状の固定基板１１を固定し、該固定基板１１の周囲に前記固定刃２０を回転自在に装着したことにある。
【００１２】
第２の手段は、前記固定刃２０の上面に該固定刃２０の強度を高める補強板２２を固定し、該補強板２２に前記固定刃係止具２１を設けたことにある。
【発明の効果】
【００１３】
本発明の請求項１によると、固定刃２０の盤面に沿って回転刃１０のみが回転するように構成したことにより、バリカンと同じ原理で切削することが可能になった。すなわち、被切削物を固定刃２０で安定させた状態で、回転刃１０が効果的に切削できるようになったものである。
【００１４】
また、固定刃２０の構成を、回転刃１０の上面に回転自在に連結し、固定刃２０の上面に固定刃係止具２１を設け、該固定刃係止具２１が刈払機１の先端部分に係止して回転刃１０の回転時に固定刃２０のみが固定されるように構成したことにより、回転刃１０を回転シャフトＱに連結するだけで、固定刃２０の固定刃係止具２１が刈払機１の先端に係止する。この結果、市販の刈払機１に装着することが可能になったものである。
【００１５】
更に、回転刃１０の上面に前記回転シャフトＱの先端を覆うヘッドカバーＳを囲むようにドーナツ形状の固定基板１１を固定し、該固定基板１１の周囲に前記固定刃２０を回転自在に装着しているので、回転刃１０と固定刃２０をコンパクトに一体化することができた。この結果、市販の一枚タイプの刈刃を交換するように、本発明刈刃を簡単に装着することができる。
【００１６】
請求項２によると、固定刃２０の上面に該固定刃２０の強度を高める補強板２２を固定し、該補強板２２に前記固定刃係止具２１を設けたことで、固定刃２０がより安定するものになる。この結果、被切削物の安定性も高まり、より効果的な切削効果を得ることができる。
【図面の簡単な説明】
【００１７】
【図１】本発明で使用する刈払機の一実施例を示す斜視図である。
【図２】本発明刈刃の一実施例を示す斜視図である。
【図３】本発明刈刃の使用状態を示す斜視図である。
【図４】本発明の装着状態を示す要部断面図である。
【発明を実施するための形態】
【００１８】
本発明によると、従来の二枚重ねの刈刃よりも高い切削効果が得られ、しかも、市販の刈刃と同じように、市販の刈払機にも装着することが可能になるなどといった当初の目的を達成した。
【００１９】
以下、本発明の実施例を説明する。本発明刈刃の特徴は、高い切削効果が得られるようにするために、回転刃１０と固定刃２０とを重ねて固定刃２０を固定した構成にある（図２参照）。
【００２０】
すなわち、回転刃１０は、回転シャフトＱに連結され回転シャフトＱの駆動力で回転する。一方、固定刃２０は、回転しないように固定するもので、該固定刃２０の盤面に沿って回転刃１０のみが回転するように構成している（図４参照）。
【００２１】
この固定刃２０は、回転刃１０の上面に回転自在に連結されている（図２参照）。そして、固定刃２０の上面に固定刃係止具２１を設け、該固定刃係止具２１が刈払機１の先端部分に係止して回転刃１０の回転時に固定刃２０のみが固定されるように構成している（図３参照）。
【００２２】
図示の刈払機１は、駆動源Ｐに連結する回転シャフトＱを保護管Ｒ内に収納し、回転シャフトＱ先端と刈刃とを連結する部分にヘッドカバーＳを設けたもので、このヘッドカバーＳの下面に刈刃を着脱自在に装着せしめる刈払機１である（図１参照）。したがって、固定刃２０の固定刃係止具２１が係止する刈払機１の先端とは、図示例によると保護管Ｒ側面になっている（図３参照）。そして、この固定刃係止具２１を保護管Ｒの側面に係止させることで、固定刃２０が回転しないように固定するものである。
【００２３】
また、図示の固定刃係止具２１は平面Ｌ字状を成した金属柱で形成しているが、材質や形状、数などは任意に変更することができる。そして、固定刃係止具２１の形状に応じて係止するだけの構成から、たとえば回転シャフトＱやヘッドカバーＳを挟着して固定する構成に変更することも可能である。要は、刈払機１の先端を利用して固定刃２０が回転しないようする構成であれば良い。
【００２４】
回転刃１０と固定刃２０との連結構造は、例えば次のような構成である。すなわち、回転刃１０の上面にヘッドカバーＳを囲む固定基板１１を固定する。そして、この固定基板１１の周囲に前記固定刃２０を回転自在に連結する。このように固定刃２０を連結した状態で回転刃１０を回転シャフトＱで回転させると、固定刃２０が固定刃係止具２１で固定されるので、固定刃２０の片面に沿って回転刃１０が回転するものである。
【００２５】
図示例の回転刃１０は、回転刃１０の上面に固定基板１１をスポット溶接にて溶着したものである（図４参照）。この回転刃１０を、回転シャフトＱに連結するには、回転刃１０の中心に開穿された軸孔１２に回転シャフトＱを挿通し、固定板１３と固定ナット１４で固定する。
【００２６】
一方、固定刃２０は、固定基板１１の周囲にボールベアリング２３を介して回転自在に連結する。このとき、固定刃２０の上面に補強板２２をスポット溶接にて接合し、固定刃２０と補強板２２とで厚くなった端部にボールベアリング２３が当るように形成している（図４参照）。図示の補強板２２は矩形状をなしているが、円形状など他の形状に変更することも可能である。
【００２７】
更に、このボールベアリング２３の回転部分に切り枝等が侵入しないようにするため、蓋体１５を設けている（図４参照）。図示例の蓋体１５は矩形状を成し、固定基板１１の上面にスポット溶接にて溶着したものである（図３参照）。また、蓋体１５を補強板２２に固定してもよく、この場合、蓋体１５と固定刃係止具２１とを一体に構成することも可能である。
【００２８】
このように、回転刃１０と固定刃２０とが一体化されると、回転シャフトＱに連結する前の状態では、固定刃２０上面の固定基板１１周囲を回転刃１０が回転する状態の二重刃構造になっている（図２参照）。そして、回転刃１０を市販の刈刃と同じ手順で回転シャフトＱに連結し、回転シャフトＱを駆動させると、回転刃１０が回転すると共に、この回転刃１０に伴って固定刃２０も回転する。その後、すぐに固定刃係止具２１が保護管Ｒに係止するので、固定刃２０のみが固定される。その後は、固定刃２０の下面に沿って回転刃１０のみが回転することになる（図３、図４参照）。
【００２９】
回転刃１０と固定刃２０は、いずれも市販の刈刃と同じ形状を成すものである。したがって、円板の周囲に４枚の刃を設けた４枚刃や、刃を８枚設けた８枚刃、あるいは多数の刃を設けた丸鋸刃などの刈刃が使用される。このように回転刃１０や固定刃２０の形状は、従来使用されている円盤状の刈刃であればどのようなものでも使用可能である。また、回転刃１０と固定刃２０の刃の向きは、同一方向を向けて重ねても良いし、逆向きで重ねてもよい。
【００３０】
尚、図示例では、回転刃１０と固定基板１１、あるいは固定刃２０と補強板２２など、各部材の連結手段としてスポット溶接を選択しているが、連結手段はこれに限定されるものではなく、ボルトやナット等を利用したネジ止め手段等に変えることも可能である。
【産業上の利用可能性】
【００３１】
本発明で使用する刈払機１の駆動源Ｐは、エンジン式又は電動式を問わないものである。また、本発明の回転刃１０と固定刃２０との連結手段や固定刃２０の固定手段は図示例に限られるものではなく、本発明の要旨を変更しない範囲内において自由に設計変更できるものである。
【符号の説明】
【００３２】
Ｐ  駆動源
Ｑ  回転シャフト
Ｒ  保護管
Ｓ  ヘッドカバー
１  刈払機
１０  回転刃
１１  固定基板
１２  軸孔
１３  固定板
１４  固定ナット
１５  蓋体
２０  固定刃
２１  係止突起
２２  補強板
２３  ボールベアリング
２４  蓋体
【図１】
0005670257.tif 000002
【図２】
0005670257.tif 000003
【図３】
0005670257.tif 000004
【図４】
0005670257.tif 000005